(57)【要約】      （修正有）【課題】様々な色の光線または様々な発光パターンを産生する発光装置を開示する。【解決手段】発光装置１は、ハウジング、電池１１、処理素子１３、発光素子１５、第１スイッチ１７および第２スイッチ１９を含む。処理素子は、２つの電源端子、２つのスイッチ端子および３つの発光端子を含む。２つの電源端子は電池と結合し、電池の電気エネルギーを受ける。発光素子は電池と結合し、なおかつ処理素子の３つの発光端子とそれぞれ結合する赤色光ＬＥＤ、緑色光ＬＥＤおよび青色光ＬＥＤを含み、これにより赤色光、緑色光および青色光が産生される。第１スイッチは使用者が操作することができ、発光素子の発光パターンを選択する。第２スイッチは駆動信号を送信し、これにより、処理素子が発光素子を駆動し、発光パターンに基づいて発光させる。【選択図】図１
0003191692.tif 000002
【実用新案登録請求の範囲】
【請求項１】
ハウジング、電池、発光素子、処理素子、第１スイッチ、および第２スイッチを含む発光装置であって、
当該電池が当該ハウジング内に設置され、当該発光装置が必要とする電気エネルギーを供給し、
当該発光素子が当該電池と結合し、
当該処理素子が当該ハウジング内に設置され、当該電池および当該発光素子と結合し、当該発光素子を駆動して発光させ、
当該第１スイッチが当該処理ユニットと結合し、当該第１スイッチが当該第１スイッチに付加される物理量に基づいて、複数の発光パターンから所定の発光パターンを選択し、
当該第２スイッチが当該ハウジング内に設置されて、当該処理素子と結合し、
このうち、当該処理素子が、当該第２スイッチが産生する駆動信号に基づいて、当該発光素子を駆動し、当該所定の発光パターンに基づいて発光させる、発光装置。
【請求項２】
当該第１スイッチがプッシュボタンスイッチであり、当該物理量が、当該プッシュボタンスイッチが押される回数であり、当該プッシュボタンスイッチが、当該プッシュボタンスイッチが押される回数に基づいて、複数の発光パターンから当該所定の発光パターンを選択する、請求項１に記載の発光装置。
【請求項３】
当該第１スイッチが第１検出素子であり、当該物理量が外部環境の温度、音量または輝度であり、当該第１検出素子が外部環境の温度、音量または輝度に基づいて、複数の発光パターンから当該所定の発光パターンを選択する、請求項１に記載の発光装置。
【請求項４】
当該第２スイッチが振動スイッチであり、当該振動スイッチが当該振動スイッチに付加される外力に基づいて、当該駆動信号を産生する、請求項１に記載の発光装置。
【請求項５】
当該第２スイッチが第２検出素子であり、当該第２検出素子が外部環境の温度、音量、湿度または輝度に基づいて、当該駆動信号を産生する、請求項１に記載の発光装置。
【請求項６】
当該処理素子がさらに
当該電池と結合する２つの電源端子と；
当該第１スイッチおよび当該第２スイッチとそれぞれ接続される２つのスイッチ端子と；
当該発光素子と接続される３つの発光端子とを含む、請求項１に記載の発光装置。
【請求項７】
当該発光素子が赤色光ＬＥＤ、緑色光ＬＥＤおよび青色光ＬＥＤを含み、それぞれ当該コントローラの対応する発光端子と結合する、請求項６に記載の発光装置。
【請求項８】
当該赤色光ＬＥＤ、当該緑色光ＬＥＤおよび当該青色光ＬＥＤが、それぞれ抵抗器を介して当該対応する発光端子と結合する、請求項７に記載の発光装置。
【請求項９】
当該所定の発光パターンが、赤色光発光パターン、緑色光発光パターン、青色光発光パターン、赤緑混合光発光パターン、赤青混合光発光パターン、緑青混合光発光パターン、赤緑青混合光発光パターン、または上記発光パターンを順に組合せたものである、請求項７に記載の発光装置。
【請求項１０】
当該第１スイッチがプッシュボタンスイッチであり、当該物理量が、当該プッシュボタンスイッチが押される回数であり、当該プッシュボタンスイッチにより、当該プッシュボタンスイッチが押される１回目〜８回目に対応する当該所定の発光パターンに基づいて発光し、それぞれ当該赤色光発光パターン、当該緑色光発光パターン、当該青色光発光パターン、当該赤緑混合光発光パターン、当該赤青混合光発光パターン、当該緑青混合光発光パターン、当該赤緑青混合光発光パターン、および当該上記発光パターンを順に組合せたものである、請求項９に記載の発光装置。
【請求項１１】
当該所定の発光パターンについて、当該赤色光ＬＥＤ、当該緑色光ＬＥＤまたは当該青色光ＬＥＤを駆動して発光させる電圧信号が、方形波信号、次第に低下する信号または次第に上昇する信号でよい、請求項７に記載の発光装置。
【請求項１２】
当該処理素子が、さらに発振入力端子および発振出力端子を含む、請求項６に記載の発光装置。
【請求項１３】
当該処理素子がさらに抵抗器を含み、当該発振入力端子および当該発振出力端子の間に結合される、請求項１２に記載の発光装置。
【請求項１４】
当該処理素子がさらに発振入力端子および静電容量を含み、なおかつ当該静電容量が当該発振入力端子と結合する、請求項６に記載の発光装置。
【考案の詳細な説明】
【技術分野】
【０００１】
本考案は発光装置に関し、特に、発光装置を制御または起動し、異なる色の光線を産生させるか、または異なる発光パターンを産生させる、光制御または変化素子を有する発光装置に関する。
【背景技術】
【０００２】
従来の発光素子は、多くても電球または発光ダイオード（ＬＥＤ）、電池およびスイッチを含むのみである。発光素子は、電池が電気エネルギーを提供し、スイッチを制御することにより、表示灯または警告灯の用途に用いられる。
【０００３】
例を挙げて述べると、上記類似の発光素子の応用は、すでに米国特許公告番号第５７０９４６４号に開示されている。特許の内容としては、発光素子が、多くても電球、ＬＥＤまたはその他の発光部材を含むのみであり、電池が電気エネルギーを提供し、スイッチを制御することにより、なおかつ発光素子が集積回路に結合する振動スイッチを含むことにより、表示光線または警告光線を産生する発光素子が制御または起動される。
【０００４】
振動スイッチの設計により、発光素子の作動および停止を制御することができる。しかしながら、振動スイッチは単調な発光および消灯の動作を行う発光素子を制御することしかできず、発光させた光線を様々なインターバルで明滅、点滅の変化をさせること、あるいは光線の強度または輝度の変化を制御することはできない。
【０００５】
本考案の設計は、上記従来の発光素子で言及した欠点を改善するためである。
【先行技術文献】
【特許文献】
【０００６】
【特許文献１】米国特許公告番号第５７０９４６４号
【考案の概要】
【考案が解決しようとする課題】
【０００７】
したがって、本考案の範疇は、光制御／変化素子を有する発光装置を提供することであり、これにより、様々な色の光線または様々な発光パターンを産生する発光装置が制御または起動される。
【課題を解決するための手段】
【０００８】
本考案の発光装置はハウジング、電池、発光素子、処理素子、第１スイッチおよび第２スイッチを含む。処理素子はハウジング内に設置され、電池および発光素子と結合する。第１スイッチは処理ユニットと結合し、第１スイッチは第１スイッチに付加された物理量に基づいて、複数の発光パターンから所定の発光パターンを選択する。第２スイッチはハウジング内に設置され、処理素子と結合する。このうち、処理素子は第２スイッチが産生する駆動信号に基づいて、発光素子を駆動し、第１スイッチが選択する所定の発光パターンに基づいて発光させる。
【０００９】
具体的な実施例によれば、本考案の第１スイッチはプッシュボタンスイッチであり、物理量はプッシュボタンスイッチが押される回数である。プッシュボタンスイッチはプッシュボタンスイッチが押される回数に基づいて、複数の発光パターンから所定の発光パターンを選択する。
【００１０】
第２スイッチは振動スイッチであり、振動スイッチは振動スイッチに付加される外力に基づいて、駆動信号を産生して発光素子を駆動し、所定の発光パターンに基づいて発光させる。
【００１１】
処理素子はさらに２つの電源端子、第１および第２スイッチ端子と３つの発光端子を含む。２つの電源端子ＶＤＤおよびＶＳＳは、当該電池と結合する。第１および第２スイッチ端子ＳＷおよびＳＷ２は、それぞれ第１スイッチおよび第２スイッチと接続される。３つの発光端子ＲＬ、ＧＬ、ＢＬについて、発光端子は発光素子と接続される。
【００１２】
発光素子は赤色光ＬＥＤ、緑色光ＬＥＤおよび青色光ＬＥＤを含み、それぞれ赤色光、緑色光および青色光を産生する。さらに、それぞれ発光端子ＲＬ、ＧＬ、ＢＬと結合するか、またはそれぞれ抵抗器を介して処理素子の発光端子ＲＬ、ＧＬ、ＢＬと結合する。
【００１３】
所定の発光パターンは、赤色光発光パターン、緑色光発光パターン、青色光発光パターン、赤緑混合光発光パターン、赤青混合光発光パターン、緑青混合光発光パターン、赤緑青混合光発光パターン、または上記発光パターンを順に組合せたものである。
【００１４】
処理素子は発振入力端子ＯＳＣＩ、発振出力端子ＯＳＣＯおよび抵抗器を含む。当該抵抗器は、当該発振入力端子ＯＳＣＩおよび当該発振出力端子ＯＳＣＯの間に選択的に結合され、当該発光素子の点滅速度が速くなる。あるいは静電容量を利用して、当該処理素子の当該発振入力端子ＯＳＣＩと選択的に結合され、当該発光素子の点滅速度が遅くなる。
【００１５】
以上をまとめると、本考案に基づく発光装置は、処理ユニットにより、様々な色の光線および様々な発光パターンを産生する発光素子を制御することができる。第１スイッチは使用者が自ら操作することができ、複数の発光パターンから所定の発光パターンを選択する。第２スイッチは駆動信号を処理素子に出力し、発光装置を第１スイッチが選択する所定の発光パターンに基づいて発光させる。以上の技術的特徴により、本考案の発光装置はより多くの発光形態を提供し、使用者は発光素子の発光パターンを変更することができる。使用の面白味が増す以外に、夜間の活動で人目を引き、さらに十分な照明を提供することもできる。
【００１６】
本考案の利点および主旨に関して、以下の考案の詳細な記載および添付する図により、さらに理解することができる。
【図面の簡単な説明】
【００１７】
【図１】図１は、本考案に基づく発光装置の機能ブロック図を示す。
【図２】図２は、本考案の具体的実施例に基づく発光装置の立体図を示す。
【図３】図３は、本考案の別の具体的実施例に基づく発光装置の機能ブロック図を示す。
【図４】図４は、本考案の別の具体的実施例に基づく発光装置の立体図を示す。
【図５】図５は、発光装置における回路設計の平面概要図を示す。
【図６】図６は、発光装置における別の回路設計の平面概要図を示す。
【図７】図７は、発光装置における別の回路設計の平面概要図を示す。
【図８】図８は、発光装置の発光部材における点滅パターンの平面概要図を示す。
【図９】図９は、発光装置の発光部材における点滅パターンの平面概要図を示す。
【図１０】図１０は、発光装置の発光部材における点滅パターンの平面概要図を示す。
【図１１】図１１は、発光装置の発光部材における別の発光パターンの平面概要図を示す。
【図１２】図１２は、発光装置の発光部材における別の発光パターンの平面概要図を示す。
【図１３】図１３は、発光装置の発光部材における別の発光パターンの平面概要図を示す。
【図１４】図１４は、発光装置の発光部材における別の発光パターンの平面概要図を示す。
【図１５】図１５は、発光装置の発光部材における別の発光パターンの平面概要図を示す。
【図１６】図１６は、発光装置の発光部材における別の発光パターンの平面概要図を示す。
【図１７】図１７は、発光装置の発光部材における別の発光パターンの平面概要図を示す。
【図１８】図１８は、発光装置の発光部材における別の発光パターンの平面概要図を示す。
【図１９】図１９は、発光装置の発光部材における別の発光パターンの平面概要図を示す。
【図２０】図２０は、発光装置の発光部材における別の発光パターンの平面概要図を示す。
【図２１】図２１は、発光装置の発光部材における別の発光パターンの平面概要図を示す。
【図２２】図２２は、発光装置の発光部材における別の発光パターンの平面概要図を示す。
【考案を実施するための形態】
【実施例】
【００１８】
まず、図１および図２を合わせて参照されたい。図１は、本考案の発光装置の機能ブロック図を示し、図２は、本考案の具体的実施例に基づく発光装置の立体図を示す。
【００１９】
図１に示すように、本考案に基づく発光装置１はハウジング１０、電池１１、処理素子１３、発光素子１５、第１スイッチ１７および第２スイッチ１９を含む。
【００２０】
続いて、図２を参照されたい。電池１１はハウジング１０内に設置される。処理素子１３は集積回路、制御回路またはその他の適合する処理素子でよく、回路基板４に設置され、回路基板４もハウジング１０内に設置される。発光素子１５は電池１１および回路基板４と結合し、多くても電線またはケーブル５を利用して回路基板４の処理素子１３と結合し、電池１１の電気エネルギーを選択的に受けることができるが、これに限定されない。
【００２１】
第１スイッチ１７はプッシュボタンスイッチでよいがこれに限定されず、電池１１、処理ユニット１３および発光素子１５とそれぞれ接続される。プッシュボタンスイッチはカウンタを含み、プッシュボタンスイッチが押される回数を計算して物理量の変化とし、さらにこの物理量の変化に基づいて、複数の発光パターンから所定の発光パターンを選択する。
【００２２】
第２スイッチ１９は振動スイッチでよいがこれに限定されず、回路基板４の処理素子１３および電池１１と結合され、駆動信号を産生して発光素子１５を駆動し、第１スイッチ１７が選択する所定の発光パターンに基づいて発光させる。
【００２３】
本具体的実施例において、複数の所定の発光パターンは、１．赤色光発光パターン、２．緑色光発光パターン、３．青色光発光パターン、４．赤緑混合光発光パターン、５．赤青混合光発光パターン、６．緑青混合光発光パターン、７．赤緑青混合光発光パターン、または８．上記７種の発光パターンを順に組合せたものであり、全部で８組の所定の発光方式を有する。第１スイッチ１７が、押される回数に基づいて所定の発光パターンの選択を行う機構は次の通りである。
【００２４】
第１スイッチを最初に押すと、カウンタの累計数は１になり、処理ユニットは１．赤色光発光パターンを選択する。再び第１スイッチを１回押すと、カウンタの累計数は２になり、処理ユニットは２．緑色光発光パターンを選択する。これから類推して、カウンタの累計数に基づいて、対応する順番の所定の発光パターンが選択される。カウンタの累計数は８を超えるとゼロに戻り、新たに累計を行う。例えば、プッシュボタンスイッチが押される１回目〜８回目に対応する所定の発光パターンの発光は、それぞれ赤色光発光パターン、緑色光発光パターン、青色光発光パターン、赤緑混合光発光パターン、赤青混合光発光パターン、緑青混合光発光パターン、赤緑青混合光発光パターン、および上記発光パターンを順に組合せたものである。以上の例は、複数の所定の発光パターンに対してのみさらに詳細に記載したが、これに限定されない。
【００２５】
続いて、図３および図４を参照されたい。図３は、本考案の別の具体的実施例における発光装置の機能ブロック図を示し、図４は、本考案の別の具体的実施例に基づく発光装置の立体図を示す。
【００２６】
図３および図４に示すように、第１スイッチ１７は光線検出素子でよく、なおかつこれは変換素子１７０および貯蔵素子１７２をさらに含む。第１検出素子１７は外部の光線を検出して受けることができ、変換素子１７０は、光線の光エネルギーを電気エネルギーに変換する。貯蔵素子１７２は変換した電気エネルギーを受けて貯蔵し、この電気エネルギーも発光素子の発光用に提供することができる。
【００２７】
実際の応用において、第１スイッチ１７は光線検出素子であるため、第１スイッチ１７は外部環境の輝度の変化を検出すると、輝度の変化に基づいて、複数の発光パターンから所定の発光パターンを選択する。
【００２８】
この他、第１スイッチ１７は赤外線検出素子でもよく、使用者の体温の赤外線および外部環境の温度の違いを利用することができ、複数の発光パターンから所定の発光パターンを選択する。
【００２９】
さらに具体例を挙げて述べると、第１スイッチ１７は光依存抵抗器、音声制御素子…またはその他の適合する検出素子でもよく、様々な応用により、対応する調整を行うことができる。以上の例は第１スイッチ１７についてのみより詳細に記載しているが、これに限定されない。
【００３０】
本実施例において、第２スイッチ１９は振動スイッチであるが、さらに、第２スイッチ１９は第２検出素子でもよい。第２検出素子は外部環境の温度、音量、湿度または輝度に基づいて、駆動信号を産生して発光素子１５を駆動し、第１検出素子１７が選択する所定の発光パターンに基づいて発光させる。
【００３１】
例えば、実際の応用において、第２検出素子は光線検出素子でよい。したがって、発光装置１は、光線が十分な環境にあるとき、第２検出素子が駆動信号を送信し、発光素子１５および電池１１の間の導通を遮断する。発光素子１５は発光することができなくなり、これにより、光線が十分な環境でエネルギーを節約する。反対に、発光装置１が薄暗い環境にあるとき、第２検出素子が駆動信号を送信し、発光素子１５および電池１１を導通させ、これにより発光装置を発光させる。
【００３２】
この他、第２検出素子も赤外線検出素子でよく、使用者の体温の赤外線および外部環境の温度の違いを利用することができ、これにより当該発光装置のスイッチを起動または遮断する。設定により当該発光装置を夜のみ起動させ、日中は停止状態を保持することもできる。
【００３３】
さらに例を挙げて述べると、第２検出素子は湿度検出素子でよく、外部の湿度を感知する。外部の湿度が高すぎるとき、第２検出素子が駆動信号を送信し、発光素子１５および電池１１の間の導通を遮断し、湿気がひどいために発光装置１がショートするのを防止する。
【００３４】
実際の応用において、第２検出素子は光依存抵抗器、音声制御素子…またはその他の適合する検出素子でもよく、様々な応用により、対応する調整を行うことができる。以上の例は、第２検出素子に対してのみより詳細な記載を行ったが、これに限定されない。
【００３５】
図５および図６に示すように、図５は、本考案の発光装置における回路設計の平面概要図を示し、図６は、本考案の発光装置における別の回路設計の平面概要図を示す。
【００３６】
具体的実施例において、処理素子１３は２つの電源端子ＶＤＤ（１３０）およびＶＳＳ（１３１）、第１スイッチ端子ＳＷ（１３２）および第２スイッチ端子ＳＷ２（１３３）を含む。２つの電源端子ＶＤＤ（１３０）およびＶＳＳ（１３１）は電池１１と結合し、電池１１から電力またはエネルギーを受ける。
【００３７】
図５および図６に示すように、第１スイッチ１７は第１スイッチ端子ＳＷ（１３２）と結合し、第２スイッチ１９は、第２スイッチ端子ＳＷ２（１３３）と結合する。処理素子１３は、発振入力端子ＯＳＣＩ（１３４）、発振出力端子ＯＳＣＯ（１３５）および３つの発光端子ＲＬ（１３６）、ＧＬ（１３７）、ＢＬ（１３８）をさらに含み、なおかつ３つの発光端子は発光素子１５と結合する。図５に示すように、発振入力端子ＯＳＣＩ（１３４）および発振出力端子ＯＳＣＯ（１３５）にはいかなる部材も結合しておらず、発光素子１５は断続的な光線を産生し、正常な速度で点滅する。図６に示すように、静電容量４０が発振入力端子ＯＳＣＩ（１３４）と結合する場合、発光素子１５が産生する光線は、図３に示すものより低い速度で点滅する。
【００３８】
さらに、図７に示すように、図７は本考案の発光装置における別の回路設計の平面概要図を示す。抵抗器４２が、直列方式で発振入力端子ＯＳＣＩ（１３４）および発振出力端子ＯＳＣＯ（１３５）の間に結合される場合、発光素子１５が産生する光線は、図５および図６に示すものより高い速度で点滅する。
【００３９】
発光素子１５は赤色光ＬＥＤ１５０、緑色光ＬＥＤ１５２および青色光ＬＥＤ１５４を含み、それぞれ別の抵抗器４４により、処理素子１３の発光端子ＲＬ（１３６）、ＧＬ（１３７）、ＢＬ（１３８）と結合する。これにより赤色光、緑色光および青色光がそれぞれ産生される。
【００４０】
実際の応用において、図８から図１０は、発光装置１が本考案に基づいて産生する発光パターンを示す。発光パターンについて、発光ＬＥＤ１５０、１５２、１５４は、処理素子１３の操作または励起により、それぞれまたは同時に赤色光、緑色光および青色光を産生する。赤色光ＬＥＤ１５０は、第１インターバルＡで次第に弱くなり暗くなる。その後、緑色光ＬＥＤ１５２は、第２インターバルＢで次第に弱くなり暗くなる。続いて、青色光ＬＥＤ１５４は、第３インターバルＣで次第に弱くなり暗くなる。すなわち、３つの発光ＬＥＤ１５０、１５２、１５４は代わる代わる周期的に発光する。
【００４１】
続いて、３つの発光ＬＥＤ１５０、１５２、１５４が、インターバルＡからＣまでで代わる代わる弱くなり暗くなった後、発光ＬＥＤ１５０、１５２、１５４は第４インターバルＤで同時に発光する。これと同時に、青色光ＬＥＤ１５４は、次第に弱くなり暗くなる。続いて、緑色光ＬＥＤ１５２は第５インターバルＥで次第に弱くなり暗くなる。その後、赤色光ＬＥＤ１５０は第６インターバルＦで次第に弱くなり暗くなる。
【００４２】
図１１から１３に示すように、これらは発光装置１が本考案に基づいて産生する別の発光パターンを示す。発光パターンについて、処理素子１３の操作または励起により、赤色光ＬＥＤ１５０は第１インターバルＡで次第に明るくなる赤色光を産生する。その後、緑色光ＬＥＤ１５２は第２インターバルＢで次第に明るくなる緑色光を産生する。続いて、青色光ＬＥＤ１５４は第３インターバルＣで次第に明るくなる青色光を産生する。すなわち、３つの発光ＬＥＤ１５０、１５２、１５４は代わる代わる周期的に発光する。
【００４３】
続いて、３個の発光ＬＥＤ１５０、１５２、１５４が、インターバルＡからＣまでで代わる代わる明るくなった後、発光ＬＥＤ１５０、１５２、１５４は第４インターバルＤで同時に発光する。これと同時に、赤色光ＬＥＤ１５０が次第に弱くなり暗くなる。続いて、緑色光ＬＥＤ１５２が第５インターバルＥで次第に弱くなり暗くなる。その後、青色光ＬＥＤ１５４が第６インターバルＦで次第に弱くなり暗くなる。
【００４４】
図１４から１６に示すように、これらは発光装置１が本考案に基づいて産生する別の発光パターンを示す。発光パターンについて、処理素子１３の操作または励起により、赤色光ＬＥＤ１５０は第１インターバルＡでのみ赤色光を産生し、その後、赤色光ＬＥＤ１５０はその他のインターバルのいずれにおいても停止の状態が保持される。緑色光ＬＥＤ１５２は処理素子１３の操作または励起により、第３インターバルＣでのみ緑色光を産生し、その他のインターバルでは、緑色光ＬＥＤ１５２は停止の状態が保持される。青色光ＬＥＤ１５４は第５インターバルＥでのみ青色光を産生し、その他のインターバル内では停止の状態が保持される。
【００４５】
図１７から１９に示すように、これらは発光装置１が本考案に基づいて産生する別の発光パターンを示す。発光パターンについて、処理素子１３の操作または励起により、赤色光ＬＥＤ１５０および緑色光ＬＥＤ１５２は、同時に第１インターバルＡで赤色光および緑色光を産生し、続いてすぐに停止する。その後、緑色光ＬＥＤ１５２および青色光ＬＥＤ１５４は、処理素子１３の操作または励起により、同時に第３インターバルＣで緑色光および青色光を産生し、続いてすぐに停止する。青色光ＬＥＤ１５４および赤色光ＬＥＤ１５０は、同時に第５インターバルＥで青色光および赤色光を産生し、続いてすぐに停止する。
【００４６】
図２０から２２に示すように、これらは発光装置１が本考案に基づいて産生する別の発光パターンを示す。発光パターンについて、処理素子１３の操作または励起により、赤色光ＬＥＤ１５０は第１インターバルＡで明るくなる。その後、緑色光ＬＥＤ１５２が第２インターバルＢで明るくなる。続いて、青色光ＬＥＤ１５４は第３インターバルＣおよび第４インターバルＤで明るくなる。その後、緑色光ＬＥＤ１５２が第５インターバルＥで明るくなる。最後に、赤色光ＬＥＤ１５０が第６インターバルＦで明るくなる。つまり、３つの発光ＬＥＤ１５０、１５２、１５４は往復する方式で代わる代わる発光する。
【００４７】
以上をまとめると、本考案に基づく発光装置は、処理ユニットにより、様々な色の光線および様々な発光パターンを産生する発光装置を制御することができる。第１スイッチは複数の発光パターンから所定の発光パターンを選択し、第２スイッチは駆動信号を処理素子に出力し、発光装置を第１スイッチが選択した所定の発光パターンに基づいて発光させる。以上の技術的特徴により、本考案の発光装置はより多くの発光形態を提供し、使用者は発光素子の発光パターンを変更することができる。使用の面白味が増す以外に、夜間の活動で人目を引き、さらに十分な照明を提供することもできる。
【００４８】
以上の好ましい具体的実施例の詳細な記載により、本考案の特徴および主旨をよりはっきりと説明することができたと希望する。さらに上に開示した好ましい具体的実施例は、本考案の範疇を制限するものではない。反対に、その目的は、各種変更および同等性を有する措置を本考案が出願する特許範囲の範疇に包含することである。
【符号の説明】
【００４９】
１  発光装置
１０  ハウジング
１１  電池
１３  処理素子
１５  発光素子
１７  第１スイッチ
１７０  変換素子
１７２  貯蔵素子
１９  第２スイッチ
４  回路基板
５  ケーブル
１３０  電源端子ＶＤＤ
１３１  電源端子ＶＳＳ
１３２  第１スイッチ端子ＳＷ
１３３  第２スイッチ端子ＳＷ２
１３４  発振入力端子ＯＳＣＩ
１３５  発振出力端子ＯＳＣＯ
１３６  発光端子ＲＬ
１３７  発光端子ＧＬ
１３８  発光端子ＢＬ
４０  静電容量
４２  抵抗器
１５０  赤色光ＬＥＤ
１５２  緑色光ＬＥＤ
１５４  青色光ＬＥＤ
４４  別の抵抗器
【図１】
0003191692.tif 000003
【図２】
0003191692.tif 000004
【図３】
0003191692.tif 000005
【図４】
0003191692.tif 000006
【図５】
0003191692.tif 000007
【図６】
0003191692.tif 000008
【図７】
0003191692.tif 000009
【図８】
0003191692.tif 000010
【図９】
0003191692.tif 000011
【図１０】
0003191692.tif 000012
【図１１】
0003191692.tif 000013
【図１２】
0003191692.tif 000014
【図１３】
0003191692.tif 000015
【図１４】
0003191692.tif 000016
【図１５】
0003191692.tif 000017
【図１６】
0003191692.tif 000018
【図１７】
0003191692.tif 000019
【図１８】
0003191692.tif 000020
【図１９】
0003191692.tif 000021
【図２０】
0003191692.tif 000022
【図２１】
0003191692.tif 000023
【図２２】
0003191692.tif 000024